【手続補正書】
【提出日】平成25年1月7日(2013.1.7)
【手続補正１】
【補正対象書類名】特許請求の範囲
【補正対象項目名】全文
【補正方法】変更
【補正の内容】
【特許請求の範囲】
【請求項１】
親水性脂肪族ジイソシアネートモノマー、親水性脂肪族ジイソシアネートホモポリマー、親水性脂肪族ジイソシアネートオリゴマー、およびそれらの組合せからなる群から選択されるイソシアネート樹脂成分、ならびに
アクリルポリオール樹脂成分
を含む組成物であって、
該イソシアネート樹脂成分および該アクリルポリオール樹脂成分の少なくとも１種は、水性担体中に存在し、
そしてさらに、
ａ）該イソシアネート樹脂成分は、該組成物の２０重量％〜４０重量％を構成し、
ｂ）該アクリルポリオール樹脂成分は、該組成物の１０重量％〜２０重量％を構成し、そして、
ｃ）該イソシアネート樹脂成分および該アクリルポリオール樹脂成分は、それぞれ互いに相対量で存在し、その結果、該イソシアネート樹脂成分および該アクリルポリオール樹脂成分が、周囲条件下で互いに合わせられた場合、該組成物は硬化されて書込み−消去可能表面を有する材料を形成し、該材料は、以下：
約２５を超えるスオード硬度；
１５０ｍｇ／１０００回未満のテーバー摩耗値；
約５％〜約４００％の破断点伸び；
約０．１０ｍｍ（約４ミル）〜約０．６１ｍｍ（約２４ミル）の撓み抵抗；
約１５０度未満の、脱イオン水を用いて測定された該材料の表面からの接触角；および
これらの組合せ
からなる群から選択される特徴を少なくとも１つ有し、
該材料はさらに、
その表面が、着色剤、ならびに、水、アルコール、アルコキシアルコール、ケトン、ケトン性アルコール、エステル、アセテート、ミネラルスピリットのうちの１種以上、またはそれらの混合物を含む溶媒、を含む表記材料で書込みされた場合、該表記材料は、同じ位置の１００回を超える書込みおよび消去に対して、該書込み−消去可能材料の表面から消去され得、実質的に不可視にする、
ことを特徴とする、組成物。
【請求項２】
前記イソシアネート樹脂成分および該アクリルポリオール樹脂成分は、それぞれ互いに相対量で存在し、その結果、該イソシアネート樹脂成分および該アクリルポリオール樹脂成分が、周囲条件下で互いに合わせられた場合、前記組成物は硬化されて書込み−消去可能表面を有する材料を形成し、該材料は、以下：
約２５を超えるスオード硬度；
１５０ｍｇ／１０００回未満のテーバー摩耗値；
約５％〜約４００％の破断点伸び；
約０．１０ｍｍ（約４ミル）〜約０．６１ｍｍ（約２４ミル）の撓み抵抗；および
約１５０度未満の、脱イオン水を用いて測定された該材料の表面からの接触角
を示し、そして、
その表面が、着色剤、ならびに、水、アルコール、アルコキシアルコール、ケトン、ケトン性アルコール、エステル、アセテート、ミネラルスピリットのうちの１種以上、またはそれらの混合物を含む溶媒、を含む表記材料で書込みされた場合、該表記材料は、同じ位置の１００回を超える書込みおよび消去に対して、該書込み−消去可能材料の表面から消去され得、実質的に不可視にする、
ことを特徴とする、請求項１に記載の組成物。
【請求項３】
二酸化チタン、表面添加剤、湿潤剤、または脱泡剤をさらに含む、請求項１に記載の組成物。
【請求項４】
顔料、または着色剤をさらに含む、請求項１に記載の組成物。
【請求項５】
前記組成物は、約０ｇ／Ｌ〜約３５０ｇ／Ｌの範囲の揮発性有機化合物（ＶＯＣ）を有する、請求項１に記載の組成物。
【請求項６】
前記組成物は、約０ｇ／Ｌ〜約５０ｇ／Ｌの範囲のＶＯＣを有する、請求項１に記載の組成物。
【請求項７】
前記イソシアネート樹脂成分は、第１の容器内に存在し、そして前記アクリルポリオール樹脂成分は、第２の容器内に存在する、請求項１に記載の組成物。
【請求項８】
前記イソシアネート樹脂成分および前記アクリルポリオール樹脂成分の１つまたは両方は、ディスパージョンの形態である、請求項７に記載の組成物。
【請求項９】
前記イソシアネート樹脂成分は、親水性脂肪族ジイソシアネートホモポリマー、親水性脂肪族ジイソシアネートオリゴマー、およびそれらの組合せからなる群から選択される、請求項１に記載の組成物。
【請求項１０】
前記親水性脂肪族ジイソシアネートは、ヘキサメチレン−１，６−ジイソシアネートのホモポリマーである、請求項１に記載の組成物。
【請求項１１】
前記書込み−消去可能表面を有する材料は、約４０％未満の多孔性を有する、請求項１に記載の組成物。
【請求項１２】
前記書込み−消去可能表面を有する材料は、約０．００２５ｃｍ（約０．００１インチ）〜約０．３２ｃｍ（約０．１２５インチ）の厚さを有する、請求項１に記載の組成物。
【請求項１３】
前記書込み−消去可能表面を有する材料は、約１００ｍｇ／１０００回〜約１２５ｍｇ／１０００回のテーバー摩耗値を有する、請求項１に記載の組成物。
【請求項１４】
前記書込み−消去可能表面を有する材料は、約０ｇ／Ｌ〜約３５０ｇ／Ｌの範囲のＶＯＣを有する、請求項１に記載の組成物。
【請求項１５】
前記書込み−消去可能表面を有する材料は、約０ｇ／Ｌ〜５０ｇ／Ｌの範囲のＶＯＣを有する、請求項１に記載の組成物。
【請求項１６】
前記書込み−消去可能表面を有する材料は、約７５００ｎｍ未満の平均表面粗さ（Ｒａ）を有する、請求項１に記載の組成物。
【請求項１７】
前記書込み−消去可能表面を有する材料は、約１００００ｎｍ未満の最大表面粗さ（Ｒｍ）を有する、請求項１に記載の組成物。
【請求項１８】
前記書込み−消去可能表面を有する材料は、その表面に対して約３５度を超える接触角を有する、請求項１に記載の組成物。
【請求項１９】
前記書込み−消去可能表面を有する材料は、
その表面が、着色剤、ならびに、水、アルコール、アルコキシアルコール、ケトン、ケトン性アルコール、エステル、アセテート、ミネラルスピリットのうちの１種以上、またはそれらの混合物を含む溶媒、を含む表記材料で書込みされた場合、該表記材料は、同じ位置の５０００回を超える書込みおよび消去の後に、該書込み−消去可能材料の表面から消去され得、実質的に不可視にする、
ことを特徴とする、請求項１に記載の組成物。
【手続補正２】
【補正対象書類名】明細書
【補正対象項目名】００３５
【補正方法】変更
【補正の内容】
【００３５】
幾つかの実施態様において、異なる情報の表記および消去は、繰り返し実施される。
別の態様において、本開示は、親水性脂肪族ジイソシアネートまたはそのホモポリマーおよびオリゴマー、アクリルポリオール、水、ならびに任意に促進剤および／または酸促進剤（ａｃｉｄ  ｐｒｏｍｏｔｏｒ）を含む組成物を記載する。
【手続補正３】
【補正対象書類名】明細書
【補正対象項目名】００４９
【補正方法】変更
【補正の内容】
【００４９】
様々な図面内の類似の参照記号は、類似の要素を示す。
例えば、本発明は以下の項目を提供する。
（項目１）
基板上に延ばされた書込み可能−消去可能表面を有する硬化コーティングを含む書込み可能−消去可能製品であって、前記コーティングは周囲条件下で硬化可能であるとともに１種以上の材料から形成されており、前記１種以上の材料はそれぞれＧ１およびＧ２から独立して選択される１つ以上の官能基を含み、かつ、前記１種以上の材料のうち少なくとも１種の材料が水性担体中に存在する硬化コーティングにおいて、
各Ｇ１官能基がイソシアネート、エポキシド、ウレタン、エチレンオキシ、およびエチレンから独立して選択されるとともに、前記エチレンがヒドロキシル、アセトキシ、またはアルコキシカルボニルで任意に置換されており、
各Ｇ２官能基がヒドロキシル、アミン、フェノール、カルボン酸、酸無水物、アジリジン、およびチオールから独立して選択され、かつ、
書込み可能−消去可能表面を、着色剤と、水、アルコール、アルコキシアルコール、ケトン、ケトン性アルコール、エステル、アセテート、ミネラルスピリットのうちの１種以上、またはそれらの混合物からなる溶媒とを含む表記材料で表記した後、表記材料を書込み可能−消去可能表面から消去して、実質的に不可視にすることが可能な書込み可能−消去可能製品。
（項目２）
前記コーティングが１種以上の材料から形成されるとともに、前記１種以上の材料のそれぞれがＧ１官能基を１つ以上含み、かつ前記１種以上の材料のうち少なくとも１種の材料が水性担体中に存在する、項目１に記載の書込み可能−消去可能製品。
（項目３）
前記コーティングが２種以上の材料から形成され、第１の材料がＧ１官能基を１つ以上含むとともに、第２の材料がＧ２官能基を１つ以上含み、かつ前記２種以上の材料のうち少なくとも１種の材料が水性担体中に存在する、項目１に記載の書込み可能−消去可能製品。
（項目４）
前記硬化コーティングが約４０％未満の多孔性を有する、項目１に記載の書込み可能−消去可能製品。
（項目５）
前記硬化コーティングが約１０を超えるスオード硬度（Ｓｗａｒｄ  ｈａｒｄｎｅｓｓ）を有する、項目１に記載の書込み可能−消去可能製品。
（項目６）
塗布前のコーティングが約３５０ｇ／Ｌ未満のＶＯＣ、例えば約５０ｇ／Ｌ未満のＶＯＣを有する、項目１に記載の書込み可能−消去可能製品。
（項目７）
Ｇ１がイソシアネートである、項目１に記載の書込み可能−消去可能製品。
（項目８）
Ｇ１がエポキシド、ウレタン、エチレンオキシ、またはエチレンであるとともに、前記エチレンがヒドロキシル、アセトキシ、またはアルコキシカルボニルで任意に置換されている、項目１に記載の書込み可能−消去可能製品。
（項目９）
Ｇ２がヒドロキシルである、項目１に記載の書込み可能−消去可能製品。
（項目１０）
Ｇ１官能基を１つ以上含む１種以上の材料が、親水性脂肪族ジイソシアネートもしくはそのオリゴマーおよびホモポリマー、またはそれらの混合物を含む、項目１に記載の書込み可能−消去可能製品。
（項目１１）
Ｇ２官能基を１つ以上含む１種以上の材料がアクリル系ジオールを含む、項目１に記載の書込み可能−消去可能製品。
（項目１２）
同じ位置に約１００回を超えて、例えば約５０００回を超えて書込みおよび消去した後、前記書込み可能−消去可能表面を消去して実質的に不可視にする、項目１に記載の書込み可能−消去可能製品。
（項目１３）
前記書込み可能−消去可能表面が約３５度を超える接触角を有する、項目１に記載の書込み可能−消去可能製品。
（項目１４）
前記書込み可能−消去可能表面が約１５０度未満の接触角を有する、項目１に記載の書込み可能−消去可能製品。
（項目１５）
コーティングを基板に塗布する工程、および
周囲条件下でコーティングを硬化して書込み可能−消去可能表面を画定する硬化コーティングを提供する工程、
を含む、書込み可能−消去可能製品を製造する方法であって、
前記コーティングは１種以上の材料から形成されるとともに、前記１種以上の材料のそれぞれがＧ１およびＧ２から独立して選択される官能基を１つ以上含み、かつ前記１種以上の材料のうち少なくとも１種の材料が水性担体中に存在し、
各Ｇ１官能基がイソシアネート、エポキシド、ウレタン、エチレンオキシ、およびエチレンから独立して選択されるとともに、前記エチレンはヒドロキシル、アセトキシ、またはアルコキシカルボニルで任意に置換されており、
各Ｇ２官能基がヒドロキシル、アミン、フェノール、カルボン酸、酸無水物、アジリジン、およびチオールから独立して選択され、かつ、
書込み可能−消去可能表面が、着色剤と、水、アルコール、アルコキシアルコール、ケトン、ケトン性アルコール、エステル、アセテート、ミネラルスピリットのうちの１種以上、またはそれらの混合物からなる溶媒とを含む表記材料で表記された後、表記材料を書込み可能−消去可能表面から消去して実質的に不可視にする方法。
（項目１６）
前記コーティングがＧ１官能基を１つ以上含む１種以上の材料と、Ｇ２官能基を１つ以上含む１種以上の材料とを混和することにより製造される、項目１５に記載の方法。
（項目１７）
Ｇ２官能基を１つ以上含む前記１種以上の材料が２つ以上の官能性を有する架橋剤を更に含む、項目１５に記載の方法。
（項目１８）
情報を変更可能に提示する方法であって、
ａ）項目１に記載の書込み可能−消去可能製品を選択する工程、
ｂ）着色剤と、水、アルコール、アルコキシアルコール、ケトン、ケトン性アルコール、エステル、アセテート、ミネラルスピリットのうちの１種以上、またはそれらの混合物からなる溶媒とを含む表記材料で、書込み可能−消去可能表面に第１の情報を表記する工程、
ｃ）第１の情報の表記を書込み可能−消去可能表面から消去して実質的に不可視にする工程、
ｄ）書込み可能−消去可能表面に異なる情報を表記する工程、および
ｅ）異なる情報の表記を書込み可能−消去可能表面から消去して実質的に不可視にする工程、
を含む方法。
（項目１９）
基板上に延ばされた、書込み可能−消去可能表面を有する硬化コーティングを含む書込み可能−消去可能製品であって、前記硬化コーティングが周囲条件下で硬化可能であるとともに、水性担体中の１種以上の材料から形成されており、かつ、
書込み可能−消去可能表面を、着色剤と、水、アルコール、アルコキシアルコール、ケトン、ケトン性アルコール、エステル、アセテート、ミネラルスピリットのうちの１種以上、またはそれらの混合物からなる溶媒とを含む表記材料で表記可能であり、前記表記材料を書込み可能−消去可能表面から消去すると実質的に不可視になる、書込み可能−消去可能製品。